(57)【特許請求の範囲】
【請求項１】
ペン体（２）とインキタンク（３１）の間の本体（３）内に、筆圧によるペン体（２）の傾動に伴い径方向に変位可能な環状の第１の弁部（４１）と、該第１の弁部（４１）の外周部と径方向に密接する環状の第１の座部（４２）とからなる第１のシール部（４）を設け、筆圧によるペン体（２）の傾動により、前記第１の弁部（４１）又は前記第１の座部（４２）を径方向に弾性変形させて前記第１のシール部（４）を開口させてなる液式筆記具であって、前記ペン体（２）とインキタンク（３１）の間の本体（３）内に、軸方向前方に付勢され且つ筆圧によるペン体（２）の後退に伴い後退可能な環状の第２の弁部（５１）と、該第２の弁部（５１）と軸方向に密接する環状の第２の座部（５２）とからなる第２のシール部（５）を設け、前記第１の座部（４２）及び前記第２の座部（５２）が一体に形成された弁座（９）を本体（３）内面に設け、筆記時、筆圧によるペン体（２）の傾動により前記第１のシール部（４）を開口させるとともに、筆圧によるペン体（２）の後退により前記第２の弁部（５１）を後退させて前記第２のシール部（５）を開口させてなることを特徴とする液式筆記具。
【請求項２】
前記ペン体（２）の後方移動を規制し且つ前記ペン体（２）の傾動の支点となる支持部（６）を本体（３）内面に設けた請求項１記載の液式筆記具。
【請求項３】
前記支持部（６）を、前記第１のシール部（４）より前方に設けた請求項２記載の液式筆記具。
【請求項４】
前記第１の座部（４２）を第１の弁部（４１）よりも軟質に構成すると共に、前記第１の座部（４２）の外側に、該第１の座部（４２）が径方向外方に変形可能な逃げ空間（３２）を設けた請求項１記載の液式筆記具。
【請求項５】
前記第１の弁部（４１）及び前記第２の弁部（５１）が一体に形成された弁体（８）をペン体（２）後端部外面に設けた請求項１記載の液式筆記具。
【発明の詳細な説明】
【０００１】
【発明の属する技術分野】
本発明は、液式筆記具に関する。詳細には、筆圧によるペン体の傾動により弁装置を開口させるタイプの液式筆記具に関する。尚、本発明で、「前」とはペン先側を指し、「後」とはインキタンク側を指す。
【０００２】
【従来の技術】
従来、例えば、実公昭５４−４００９９号公報には、弾性材料よりなるリングバルブがバルブシート面に径方向に密接し、筆圧（即ち筆記時の紙面とペン体との当接力）によるペン体の傾動作用によって、前記リングバルブを径方向に弾性変形させ、弁装置を開口させるタイプの液式筆記具が開示されている。
【０００３】
【発明が解決しようとする課題】
前記従来の液式筆記具は、弁装置が、リングバルブとバルブシート面との径方向のみのシール構造であるため、不使用状態（放置状態）が長期間続くと、弾性材料よりなるリングバルブの径方向の弾性作用が次第に減退し、リングバルブとバルブシート面とのシール性が緩み、それにより、非筆記時、ペン先からインキが漏出するおそれがある。
【０００４】
また、前記従来の液式筆記具は、ペン体の傾動作用の支点がシール部より後方位置にある構成であり、その上、ペン体傾動時、弾性材料よりなる軟質なリングバルブを硬質なバルブシート面に押し付け圧縮変形させる構成である。そのため、ペン体の作動によって、シール部を僅かに開口させることは可能であっても、シール部を大きく開口させることは困難である。したがって、筆記時、ペン先からのインキ流出性が不十分となり、筆跡のかすれをしばしば生じさせる。
【０００５】
本発明は、前記従来の問題点を解決するものであって、シール部での十分なシール性を維持し、長期間の不使用状態にあっても、インキ漏出のおそれがなく、さらには、筆記時の十分なインキ流出性を得ることが可能な弁装置を備えた液式筆記具を提供しようとするものである。
【０００６】
【課題を解決するための手段】
〔１〕本発明は、ペン体２とインキタンク３１の間の本体３内に、筆圧によるペン体２の傾動に伴い径方向に変位可能な環状の第１の弁部４１と、該第１の弁部４１の外周部と径方向に密接する環状の第１の座部４２とからなる第１のシール部４を設け、筆圧によるペン体２の傾動により、前記第１の弁部４１又は前記第１の座部４２を径方向に弾性変形させて前記第１のシール部４を開口させてなる液式筆記具１であって、前記ペン体２とインキタンク３１の間の本体３内に、軸方向前方に付勢され且つ筆圧によるペン体２の後退に伴い後退可能な環状の第２の弁部５１と、該第２の弁部５１と軸方向に密接する環状の第２の座部５２とからなる第２のシール部５を設け、前記第１の座部４２及び前記第２の座部５２が一体に形成された弁座９を本体３内面に設け、筆記時、筆圧によるペン体２の傾動により前記第１のシール部４を開口させるとともに、筆圧によるペン体２の後退により前記第２の弁部５１を後退させて前記第２のシール部５を開口させてなること（請求項１）を要件とする。
【０００７】
（作用）
非筆記時、第１のシール部４（軸方向のシール部）及び第２のシール部５（径方向のシール部）は閉鎖状態にある。そして、筆記時、まず、筆圧によりペン体２が軸方向に後退し、それに伴い、第２の弁部５１がバネ等による前方付勢に抗して軸方向に後退され、それによって、第２の弁部５１と第２の座部５２との軸方向の密接状態が解除され、第２のシール部５が開口する。
【０００８】
さらに、前記ペン体２が後退すると同時又は前記ペン体２が後退した後に、ペン体２が筆圧により傾動する。即ち、第２のシール部５が開口すると同時又は第２のシール部５が開口した後に、前記ペン体２の傾動に伴い、第１の弁部４１が径方向に変位し、第１の弁部４１又は第１の座部４２の弾性変形により、第１の弁部４１と第１の座部４２との径方向の密接状態の一部が解除され、第１のシール部４が開口する（図６参照）。
【０００９】
即ち、第１のシール部４が開口する時は、少なくとも、第２のシール部５は開口状態にあり、前記第１のシール部４及び第２のシール部５が開口することにより、インキタンク３１からペン体２にインキが供給される。
【００１０】
したがって、長期間の不使用状態によって第１のシール部４のシール構造が緩くなったとしても、第２の弁部５１が、バネ等により強制的に軸方向に付勢されて第２の座部５２に密接される。それにより、前記第２のシール部５によって確実なシール性が得られるため、非筆記時のインキ漏出を十分に抑止できる。
また、前記請求項１の液式筆記具１は、第１の座部４２及び第２の座部５２が一体に形成された弁座９を本体３内面に設けることにより、部品点数を減少させ、組立が容易な簡易構造となり、安価に提供することができる。
【００１１】
〔２〕前記請求項１の液式筆記具１において、前記ペン体２の後方移動を規制し且つ前記ペン体２の傾動の支点となる支持部６を本体３内面に設けること（請求項２）が好ましい。
【００１２】
（作用）
非筆記時、支持部６は、ペン体２（係止部２１ａ）と軸方向に非当接状態にあり、第１のシール部４及び第２のシール部５は閉鎖状態にある。そして、筆記時、筆圧により、ペン体２が後退し、前記支持部６とペン体２が軸方向に当接し、ペン体２の後方移動が規制されると同時に、第２のシール部５が軸方向に開口する。そして、前記第２のシール部５が開口すると同時または開口した後に、ペン体２が支持部６によって径方向に支持され、筆圧によるペン体２の傾動により、第１のシール部４が開口される。
【００１３】
即ち、前記構成（請求項２）により、支持部６がペン体２を軸方向及び径方向に支持する構成であるため、第１のシール部４が開口する時、少なくとも第２のシール部５を開口状態にすることができる。
【００１４】
また、前記支持部６は、ペン体２と少なくとも軸方向に当接し、ペン体２の後方移動を規制する。それにより、前記第２のシール部５の軸方向の開口量が規制され、筆圧の大小に関わりなく、適正なインキ流出量を調節できる。尚、ペン体２と支持部６の軸方向の隙間Ｌ（即ち第２のシール部５の軸方向の開口量）は、適正なインキ流出量及び筆記時のペン体２の軸方向の不快なガタツキ感を抑えることを考慮すると、１ｍｍ以下（好ましくは、０．５ｍｍ以下）が好ましい。
【００１５】
また、前記支持部６は、ペン体２を軸方向に支持してペン体２の後方移動を規制する機能と、ペン体２を径方向に支持してペン体２の傾動作用の支点としての機能とを兼ね備えているため、軸方向に支持する箇所と径方向に支持する箇所を別に設ける必要がなく、全体を簡易構造にすることができる。
【００１６】
〔３〕前記請求項２の液式筆記具１において、前記支持部６を、前記第１のシール部４より前方に設けること（請求項３）が好ましい。
【００１７】
前記支持部６を、第１のシール部４より前方位置に設ける構成の方が、第１のシール部４より後方に設けた構成に比べて、ペン体２の傾動量に対して、第１の弁部４１の径方向の変位を大きくでき、ペン体２の僅かの傾動により、第１のシール部４の十分な径方向の開口量（即ちインキ流出性）を得ることが可能となる。
【００１８】
〔４〕前記請求項１の液式筆記具１において、前記第１の座部４２を前記第１の弁部４１よりも軟質に構成すると共に、前記第１の座部４２の外側に、該第１の座部４２が径方向外方に変形可能な逃げ空間３２を設けること（請求項４）が好ましい。
【００１９】
前記構成により、第１の座部４２が径方向外方に容易に弾性変形可能となる。それにより、ペン体２の僅かの傾動作用（即ち傾動量及び傾動力）で、第１のシール部４を開口でき、筆記時の十分なインキ吐出量を確保できる。
【００２０】
〔５〕前記請求項１の液式筆記具１において、前記第１の弁部４１及び前記第２の弁部５１が一体に形成された弁体８を、ペン体２後端部外面に設けること（請求項５）が好ましい。
【００２１】
前記構成により、部品点数を減少させ、組立が容易な簡易構造となり、安価に提供することができる。
【００２２】
【００２３】
【００２４】
【発明の実施の形態】
本発明の実施の形態を図面に従って説明する。
【００２５】
〔第１実施例〕
図１乃至図６に本発明の第１実施例を示す。
本実施例の液式筆記具１は、主に、インキタンク３１となる本体３の先端に、軸方向及び径方向に可動なペン体２を設け、前記本体３内のペン体２と前記インキタンク３１の間のインキ流通路に、ペン体２の径方向の変位により開口する第１のシール部４と、ペン体２の軸方向の後方移動により開口する第２のシール部５とを配設した構成である。
【００２６】
また、本実施例の前記第１のシール部４及び第２のシール部５は、第１の弁部４１と第２の弁部５１を一体に形成した弁体８と、第１の座部４２と第２の座部５２を一体に形成した弁座９とから構成されている。また、本実施例は、第２のシール部５を第１のシール部４の前方に配置した構成である。
【００２７】
前記本体３は有底筒体であり、後部にインキタンク３１が形成されると共に、その先端開口部の内面には、筒状の先体３３が嵌着される。また、前記先体３３の後方の前記本体３の内面には、弾性材料よりなる環状の弁座９が固着され、さらに、前記弁座９の後方にはバネ座３６が固着されている。
【００２８】
前記ペン体２は、中間部外面に段部を有する棒状の繊維束樹脂加工体である。前記段部の外周面には、筒状のペン体カバー２１が固着され、その後端外周面には有底筒状の弁体８が取り付けられている。前記ペン体カバー２１と弁体８の間のペン体２外周面（即ち、先体３３内の支持部６後方）には、スポンジ等の多孔質材料よりなるインキ吸収体３８が配置されている。
【００２９】
前記先体３３内面には、複数（ここでは３個）の内向突起よりなる支持部６が形成されている（図４参照）。筆記時、筆圧によるペン体２の後退により、ペン体カバー２１外面の段形状の係止部２１ａの後側面が前記支持部６の前側面と軸方向に当接し、ペン体２の軸方向の移動が規制される。
【００３０】
前記弁体８は、弁座９より硬質な合成樹脂製の有底筒状体であり、その前部外周面に一体に形成された環状突起よりなる第１の弁部４１と、該第１の弁部４１の前方の弁体８前端面に一体に形成された環状平面よりなる第２の弁部５１とを備える。また、前記弁体８の後部外周面には、バネ受け用段部が一体に形成されてなる。また、前記弁体８の前端にはペン体取付孔８１が設けられ、そこにペン体２の後端部外周面が嵌入されている。また、前記弁体８は、前記バネ受け用段部に係止された圧縮コイルスプリング３７により、前方に付勢され、非筆記時、第２の弁部５１と第２の座部５２とが軸方向に密接されている。
【００３１】
弁座９は、前端部の鍔部と、該鍔部より後方に延設の円筒部とが、弾性材料（例えば合成ゴムや熱可塑性エラストマー等）により、一体に形成された筒状体であり、弁体８よりも軟質に（即ち、第１の座部４２が第１の弁部４１よりも軟質に）構成される。また、前記弁座９は、前記円筒部内面に一体に形成されるとともに前記弁体８の第１の弁部４１が密接摺動可能な第１の座部４２と、該第１の座部４２の前方の円筒部内面に一体に形成されるとともに前記第２の弁部５１が軸方向に密接可能な環状段部よりなる第２の座部５２とを備える。
【００３２】
また、前記弁座９は、前記鍔部によって、本体３内面に固着されている。前記弁座９の第１の座部４２を備えた円筒部の外面と、本体３内面との間には、前記円筒部を径方向外方に容易に弾性変形させるための環状の逃げ空間３２が設けられている。
【００３３】
本実施例の第１のシール部４は、径方向に開閉し、互いに径方向に密接可能な、前記弁体８の第１の弁部４１と前記弁座９の第１の座部４２とからなる。一方、本実施例の第２のシール部５は、軸方向に開閉し、互いに軸方向に密接可能な、弁体８の第２の弁部５１と前記弁座９の第２の座部５２とからなる。
【００３４】
バネ座３６は、本体３内面に固着され、前記コイルスプリング３７の後端部を軸方向に支持するとともに、内面の複数のリブ３６ａによってコイルスプリング３７の外周面を径方向に支持する。また、前記バネ座３６の中央には、インキ流通孔３６ｂが開口している（図５参照）。
【００３５】
尚、本実施例のペン体２と支持部６の軸方向の隙間Ｌ（即ちペン体２の軸方向の移動可能量Ｌ）は、０．１ｍｍ〜０．５ｍｍに設定されている（図２参照）。また、第１の弁体８と第１の弁座９との径方向の食いつき量Ｄ（即ち、第１の弁体８の第１の弁座９への埋没量Ｄ）は、０．１ｍｍ〜０．５ｍｍに設定されている（図３参照）。
【００３６】
また、前記本体３の外面には、外筒３５が被着されている。前記外筒３５と前記本体３内面との間には、環状の隙間よりなる断熱空間が形成されている。前記断熱空間によって、手の体温によってインキタンク３１内の空気が膨脹することが抑止でき、ペン先からのインキ漏出を防止できる。前記断熱空間は、外筒３５の被着により外気と遮断されてもよいし、外筒３５に設けた通気孔等により外気と連通されてもよい。
【００３７】
〔第２実施例〕
図７に第２実施例を示す。
本実施例は第１実施例の変形例であって、前記第１実施例と異なる点は、バネ座３６が本体３内面に一体に形成された点と、本体３の後端開口部に別部材の尾栓３４を嵌着した点にある。尚、他の構成は第１実施例と同様である。
【００３８】
〔第３実施例〕
図８及び図９に第３実施例を示す。
本実施例の第１実施例及び第２実施例と大きく異なる点は、弁体８を前方に付勢する圧縮コイルスプリング３７を支持するバネ座３６が、弁体８の後方移動を規制し且つ弁体８の傾動支点となる支持部６として機能する点にあり、他の構成は第１、第２実施例同様である。
【００３９】
即ち、弁体８は、前端にペン体取付孔８１を備えるととともに、外周面に第１の弁部４１及び前端面に第２の弁部５１を一体に備えた主弁部と、該主弁部より後方に延設された棒状部とからなる。
【００４０】
前記バネ座３６は、本体３内面に固着されるとともに、外周面にインキ流通孔３６ｂを備え、軸心に弁体８の後端部を支持する支持孔３６ｃを備える。前記棒状部の後端部は、円錐状のテーパ面よりなる当接部８２を有し、前記当接部８２が、バネ座３６の支持孔３６ｃの前端縁と当接可能に構成されている。筆記時、筆圧によりペン体２が後退すると、前記棒状部の後端部の当接部８２が、前記支持孔３６ｃの前端縁に当接支持され、弁体８の後方移動が規制される。また、前記支持孔３６ｃと棒状部の当接部８２との当接支持により、弁座９と弁体８とが径方向に支持され、そこを筆記時のペン体２（弁体８）の傾動の支点とすることができる。
【００４１】
尚、本実施例の前記第１の弁部４１、及び第２の弁部５１は、環状突起により構成されている。また、第１の弁部４１の第２の弁座９への埋没量Ｄは、第１、第２実施例同様、０．１〜０．５ｍｍに設定されている。また、ペン体２と支持部６の軸方向の隙間Ｌは、０．１ｍｍ〜０．５ｍｍに設定されている
【００４２】
〔第４実施例〕
図１０に第４実施例を示す。
本実施例の前記第１〜第３実施例と大きく異なる点は、弁体８と弁座９の形状（即ち第２のシール部５の形状）にあり、他の構成は、第１〜第３実施例同様である。
【００４３】
弁体８は、前端面にペン体取付孔８１を備え且つ前端部外周面に環状の鍔部を備えた主弁部と、該主弁部の後方に一体に延設された棒状部とからなる。前記鍔部は、その外周部が、第１の座部４２と径方向に密接可能な第１の弁部４１となり、そのテーパ状前面が、第２の座部５２と軸方向に密接可能なテーパ状の第２の弁部５１となる。
【００４４】
弁座９は、鍔部と円筒部とからなり、弾性材料により一体に形成されてなる。前記円筒部内面には、前記弁体８の鍔部の外周部の第１の弁部４１が密接摺動可能な第１の座部４２と、前記弁体８の鍔部の前面のテーパ状の第２の弁部５１が軸方向に密接可能なテーパ状の第２の座部５２とを備える。前記弁座９の鍔部は、本体３内面に固着されるとともに、前記本体３内面と、第１の座部４２及び第２の座部５２を備える円筒部外面との間には環状の逃げ空間３２が形成されている。
【００４５】
また、ペン体カバー２１は、その前端部に、先体３３内面の支持部６と軸方向及び径方向に当接支持される係止部２１ａが突設され、また、その側壁には、ペン体２外面とのインキ流通孔２１ｂが設けられている。また、前記ペン体カバー２１の後端部は、弁体８前端部と当接される。
【００４６】
〔第５実施例〕
図１１に第５実施例を示す。
本実施例の第１〜第４実施例と大きく異なる点は、第１のシール部４と第２のシール部５との前後の位置関係を逆にした点と、弁体８を弁座９よりも軟質にした点にあり、他の構成は第１〜第４実施例同様である。
【００４７】
弁体８は、ペン体２の後端部外周面にペン体カバー２１を介して取り付けられ、前記弁体８はペン体２の後退に伴い後退可能である。前記弁体８は、円筒部と、該円筒部後端に設けた鍔部とが、弾性材料により一体に形成されてなる。前記円筒部の外周面には、環状突起よりなる第１の弁部４１が一体に形成され、また、前記鍔部の前面は、環状の第２の弁部５１となる。
【００４８】
本体３先端に取り付けられた先体３３の内面は、前記第１の弁部４１が密接摺動可能な環状の第１の座部４２が設けられる。また、前記先体３３の後端面は、前記第２の弁部５１が軸方向に密接可能な環状の第２の座部５２となっている。即ち、第１のシール部４が第２のシール部５よりも前方位置にある。ペン体２の傾動時、軟質の第１の弁部４１が、硬質の第２の座部５２との圧接により弾性変形し、第１のシール部４が開口する。
【００４９】
〔第６実施例〕
図１２に第６実施例を示す。
本実施例は、第１実施例の変形例であり、第１実施例と大きく異なる点は、ペン体２の後方移動を規制する支持部６を設けることの他に、さらに、後退した弁体８の当接部８２と当接し弁体８の後方移動を規制する規制部７を、本体３内面の弁体８後方に設けた点にある。
【００５０】
ペン体２の軸方向の移動可能量Ｌは、支持部６と第２のシール部５の位置関係（即ち、支持部６前側面と第２の座部５２との距離と、ペン体カバー２１の係止部２１ａ後側面と第２の弁部５１との距離との差）により設定される。
【００５１】
前記規制部７と弁体８の当接部８２との間の距離Ｍは、予め、前記ペン体２の軸方向の移動可能量Ｌと等しく設定されている。そのため、ペン体２と弁体８の取付構造が、ペン体２後端部と弁体８のペン体取付孔８１との嵌合による場合に、衝撃等でペン体２が弁体８のペン体取付孔８１から抜け落ちたとしても、再度、ペン体２を弁体８のペン体取付孔８１に挿着して、適正な軸方向移動可能量Ｌを設定できる。
【００５２】
〔第７実施例〕
図１３に第７実施例を示す。
本実施例は第６実施例の変形例であり、前記第６実施例と大きく異なる点は、規制部７を有するバネ座３６を別部材により設け、本体３内面に固着した点であり、他の構成は第６実施例同様である。
【００５３】
〔その他〕
尚、本発明のインキタンク３１の構成として、インキタンク３１後端を閉鎖し、インキ消費に伴い空気を外部より弁装置を介して取り込む本実施例の構成の他、例えば、インキ消費に伴い前進する追従体（例えば、グリス状物、弾性体、ピストン等）を内部に設けた構成、あるいはインキ消費に伴い収縮するフレキシブルな袋体よりなる構成等が挙げられる。
【００５４】
尚、本発明のペン体２としては、繊維ペン体の他、例えば、ボールペンチップ、パイプチップ、万年筆用金属板製ペン体、毛筆ペン体、ポーラスペン体、プラスチック押出成型製ペン体等を挙げることができる。
【００５５】
【発明の効果】
請求項１の発明により、第１のシール部のシール性が緩くなったとしても、第２のシール部によって確実なシール性が得られるため、非筆記時のインキ漏出を十分に抑止できる。
【００５６】
請求項２の発明により、支持部がペン体を軸方向及び径方向に支持する構成であるため、第１のシール部が開口する時、少なくとも第２のシール部を開口状態にすることができるとともに、全体を簡易構造にすることができる。また、筆圧の大小に関わりなく、適正なインキ流出量を調節可能となる。
【００５７】
請求項３の発明により、ペン体の僅かの傾動により、十分なインキ流出性を得ることが可能となる。
【００５８】
請求項４の発明により、ペン体の僅かの傾動で、第１のシール部を開口でき、筆記時の十分なインキ吐出量を確保できる。
【００５９】
請求項５の発明により、部品点数を減少させ、組立が容易な簡易構造となり、安価に提供できる。
【００６０】
【図面の簡単な説明】
【図１】本発明の第１実施例を示す縦断面図である。
【図２】図１及び図７のＳ部拡大図である。
【図３】図１及び図７のＴ部拡大図である。
【図４】図１のＡ−Ａ線断面図である。
【図５】図１のＢ−Ｂ線断面図である。
【図６】第１実施例の筆記時の作動説明図である。
【図７】本発明の第２実施例を示す縦断面図である。
【図８】本発明の第３実施例を示す縦断面図である。
【図９】図８のＵ部拡大図である。
【図１０】本発明の第４実施例を示す縦断面図である。
【図１１】本発明の第５実施例を示す縦断面図である。
【図１２】本発明の第６実施例を示す縦断面図である。
【図１３】本発明の第７実施例を示す縦断面図である。
【符号の説明】
１ 液式筆記具
２ ペン体
２１ ペン体カバー
２１ａ 係止部
２１ｂ インキ流通孔
３ 本体
３１ インキタンク
３２ 逃げ空間
３３ 先体
３４ 尾栓
３５ 外筒
３６ バネ座
３６ａ リブ
３６ｂ インキ流通孔
３６ｃ 支持孔
３７ コイルスプリング
３８ インキ吸収体
４ 第１のシール部
４１ 第１の弁部
４２ 第１の座部
５ 第２のシール部
５１ 第２の弁部
５２ 第２の座部
６ 支持部
７ 規制部
８ 弁体
８１ ペン体取付孔
８２ 当接部
８３ 押し棒
９ 弁座
１０ 紙面
Ｌ ペン体と支持部の軸方向の隙間
Ｄ 第１の弁体と第１の弁座との径方向の食いつき量
Ｍ 規制部と弁体当接部との間の距離
【図１】
0004180183.tif 000002
【図２】
0004180183.tif 000003
【図３】
0004180183.tif 000004
【図４】
0004180183.tif 000005
【図５】
0004180183.tif 000006
【図６】
0004180183.tif 000007
【図７】
0004180183.tif 000008
【図８】
0004180183.tif 000009
【図９】
0004180183.tif 000010
【図１０】
0004180183.tif 000011
【図１１】
0004180183.tif 000012
【図１２】
0004180183.tif 000013
【図１３】
0004180183.tif 000014